【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  撮像素子と、該撮像素子によって得られた画像データをもとに被写体を表示する画像表示部と、撮影された画像データを記憶媒体に記憶させる制御回路を備えた撮像装置において、
前記画像表示部は前記被写体を表示しながらサンプル画像を表示し、前記制御回路は撮影された画像データと前記サンプル画像の記憶先を関連付けて前記記憶媒体に記憶させることを特徴とする撮像装置。
【請求項２】  前記サンプル画像は複数存在し、複数のサンプル画像の中からいずれかを選択する操作手段を備え、前記制御回路は前記操作手段によって選択されたいずれかのサンプル画像と前記撮影された画像データの記憶先を関連付けて前記記憶媒体に記憶させることを特徴とする請求項１に記載の撮像装置。
【請求項３】  前記操作手段によって前記画像表示部に表示されるサンプル画像が変更されることを特徴とする請求項２に記載の撮像装置。
【請求項４】  前記サンプル画像には撮影条件が関連付けられており、前記制御回路は該撮影条件が設定された状態で撮影された画像データと前記サンプル画像の記憶先を関連付けて前記記憶媒体に記憶させることを特徴とする請求項１から３のいずれかに記載の撮像装置。
【請求項５】  撮像素子と、撮影条件が関連付けられたサンプル画像を表示する画像表示部と、該画像表示部に表示されたサンプル画像に関連付けられた撮影条件を設定し、該撮影条件が設定された状態で撮影された画像データを記憶媒体に記憶させる制御回路を備えた撮像装置において、
前記制御回路は撮影された画像データと前記サンプル画像の記憶先を関連付けて前記記憶媒体に記憶させることを特徴とする撮像装置。
【請求項６】  前記サンプル画像は複数存在し、複数のサンプル画像の中からいずれかを選択する操作手段を備え、前記制御回路は前記操作手段によって選択されたいずれかのサンプル画像と前記撮影された画像データの記憶先を関連付けて前記記憶媒体に記憶させることを特徴とする請求項５に記載の撮像装置。
【請求項７】  前記操作手段によって前記画像表示部に表示されるサンプル画像が変更されることを特徴とする請求項６に記載の撮像装置。
【請求項８】  前記複数のサンプル画像のそれぞれが関連付けられた撮影条件を有していることを特徴とする請求項６に記載の撮像装置。
【請求項９】  前記制御回路は、前記操作手段によって選択されたサンプル画像が記憶されているディレクトリに前記撮影された画像データを記憶させることを特徴とする請求項１から８のいずれかに記載の撮像装置。
【請求項１０】  撮像素子と、撮影条件が関連付けられたサンプル画像を表示する画像表示部と、該画像表示部に表示されたサンプル画像に関連付けられた撮影条件を設定する制御回路を備えた撮像装置において、
前記画像表示部は前記制御回路によって前記撮影条件が設定された状態で撮影された前記被写体を表示しながらサンプル画像を表示することを特徴とする撮像装置。
【請求項１１】  前記制御回路は撮影された画像データと前記サンプル画像の記憶先を関連付けて前記記憶媒体に記憶させることを特徴とする請求項１０に記載の撮像装置。
【手続補正２】
【補正対象書類名】明細書
【補正対象項目名】０００１
【補正方法】変更
【補正の内容】
【０００１】
【発明の属する技術分野】
本発明は撮像素子と表示手段を備えた撮像装置の撮影画像の表示、または撮像素子と画像データを記憶媒体に記憶させる制御回路を備えた撮像装置の撮影画像の記憶に関するものである。
【手続補正３】
【補正対象書類名】明細書
【補正対象項目名】０００７
【補正方法】変更
【補正の内容】
【０００７】
そこで、本出願に係る発明の第１の目的は、撮影の際に表示手段にサンプル画像を表示して、画像データの記憶先を確認しながら撮影できる撮像装置の提供である。
【手続補正４】
【補正対象書類名】明細書
【補正対象項目名】０００８
【補正方法】変更
【補正の内容】
【０００８】
本出願に係る発明の第２の目的は、撮影条件をサンプル画像と同条件にカメラが自動設定することで子供や初心者でも簡単にプロが作ったサンプルと同じレベルの撮影ができ、しかも画像データをサンプル画像と関連付けられた記憶先に記憶できる撮像装置の提供である。
さらに本出願に係る発明の第３の目的は、撮影条件をサンプル画像と同条件にカメラが自動設定するとともに、撮影の際に表示手段にサンプル画像を表示して、画像データの記憶先を確認しながら撮影できる撮像装置の提供である。
【手続補正５】
【補正対象書類名】明細書
【補正対象項目名】０００９
【補正方法】変更
【補正の内容】
【０００９】
【課題を解決するための手段】
このため、本発明の撮像装置は、撮像素子と、該撮像素子によって得られた画像データをもとに被写体を表示する画像表示部と、撮影された画像データを記憶媒体に記憶させる制御回路を備えた撮像装置において、前記画像表示部は前記被写体を表示しながらサンプル画像を表示することを特徴とする。
【手続補正６】
【補正対象書類名】明細書
【補正対象項目名】００１０
【補正方法】変更
【補正の内容】
【００１０】
また、本発明の撮像装置は、撮像素子と、撮影条件が関連付けられたサンプル画像を表示する画像表示部と、該画像表示部に表示されたサンプル画像に関連付けられた撮影条件を設定し、該撮影条件が設定された状態で撮影された画像データを記憶媒体に記憶させる制御回路を備えた撮像装置において、前記制御回路は撮影された画像データと前記サンプル画像の記憶先を関連付けて前記記憶媒体に記憶させることを特徴とする。
【手続補正７】
【補正対象書類名】明細書
【補正対象項目名】００１１
【補正方法】変更
【補正の内容】
【００１１】
また、本発明の撮像装置は、撮像素子と、撮影条件が関連付けられたサンプル画像を表示する画像表示部と、該画像表示部に表示されたサンプル画像に関連付けられた撮影条件を設定する制御回路を備えた撮像装置において、前記画像表示部は前記制御回路によって前記撮影条件が設定された状態で撮影された前記被写体を表示しながらサンプル画像を表示することを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００６２
【補正方法】変更
【補正の内容】
【００６２】
次のアクセス先でもテーブルＴ１が無ければ（Ｓ１０７）、不揮発性メモリ５６に保存されている「画像がありません」という表示データをメモリ制御回路２２，Ｄ／Ａ変換器２６を介して画像表示部２８に表示し（Ｓ１０８）、Ｓ１１３へ進む。次のアクセス先でテーブルＴ１が有れば（Ｓ１０７）、Ｓ１０９へ進む。指定されたアクセス先にテーブルＴ１が有る場合も（Ｓ１０５）、Ｓ１０９へ進む。
【手続補正１２】
【補正対象書類名】明細書
【補正対象項目名】００６３
【補正方法】変更
【補正の内容】
【００６３】
Ｓ１０９ではシステム制御回路５０にテーブルＴ１をロードし、ＩＤ０番の画像と本実施例であれば前記画像にタイトル表示用のｍｏｎｓｈｉｒｏ．ｔｘｔや説明文用のｄｅｔａｉｌ＿ｃｈｏ．ｔｘｔが関連付けられているので、これを圧縮伸長回路３２、メモリ制御回路２２、Ｄ／Ａ変換器２６を介して画像表示部２８に表示する。
【手続補正１３】
【補正対象書類名】明細書
【補正対象項目名】００６９
【補正方法】変更
【補正の内容】
【００６９】
サンプル画像参照モードフラグが設定されていなければ（Ｓ１０２）、通常再生モードとして記録媒体であるＣＦカード６にアクセスする（Ｓ１１５）。ＣＦカード６に記録画像が無ければ（Ｓ１１６）、不揮発性メモリ５６に保存されている「画像がありません」という表示データをメモリ制御回路２２，Ｄ／Ａ変換器２６を介して画像表示部２８に表示し（Ｓ１１７）、Ｓ１２１へ進む。
【手続補正１４】
【補正対象書類名】明細書
【補正対象項目名】００７０
【補正方法】変更
【補正の内容】
【００７０】
ＣＦカード６に記録画像が有れば（Ｓ１１６）、圧縮伸長回路３２、メモリ制御回路２２、Ｄ／Ａ変換器２６を介して画像表示部２８に表示する（Ｓ１１８）。
【手続補正１５】
【補正対象書類名】明細書
【補正対象項目名】００７６
【補正方法】変更
【補正の内容】
【００７６】
次のアクセス先でもテーブルＴ１が無ければ（Ｓ２０７）、不揮発性メモリ５６に保存されている「サンプル画像がありません」という表示データをメモリ制御回路２２、Ｄ／Ａ変換器２６を介して画像表示部２８に表示し（Ｓ２０８）、Ｓ２２２へ進む。次のアクセス先でテーブルＴ１が有れば（Ｓ２０７）、Ｓ２０９へ進む。
【手続補正１６】
【補正対象書類名】明細書
【補正対象項目名】００７８
【補正方法】変更
【補正の内容】
【００７８】
選択フラグが無ければ（Ｓ２０９）、テーブルＴ１のＩＤ０番の画像を圧縮伸長回路３２、メモリ制御回路２２、Ｄ／Ａ変換器２６を介して画像表示部２８の一部に子画面として表示し（Ｓ２１０）、Ｓ２１２へ進む。
【手続補正１７】
【補正対象書類名】明細書
【補正対象項目名】００７９
【補正方法】変更
【補正の内容】
【００７９】
選択フラグが有れば（Ｓ２０９）、フラグ設定された画像を圧縮伸長回路３２、メモリ制御回路２２、Ｄ／Ａ変換器２６を介して画像表示部２８の一部に子画面として表示し（Ｓ２１１）、Ｓ２１２へ進む。
【手続補正１８】
【補正対象書類名】明細書
【補正対象項目名】００８７
【補正方法】変更
【補正の内容】
【００８７】
システム制御回路５０はメモリ３０に書き込まれた撮影画像データを読み出して、メモリ制御回路２２そして必要に応じて画像処理回路２０を用いて各種画像処理を、また、圧縮伸長回路３２を用いて設定したモードに応じた画像圧縮処理を行った後、ＣＦカード６のテーブルＴ１で関連付けられているディレクトリに画像データの書き込みを行うための記録処理を実行する（Ｓ２２１）。
【手続補正１９】
【補正対象書類名】明細書
【補正対象項目名】００９４
【補正方法】変更
【補正の内容】
【００９４】
システム制御回路５０はメモリ３０に書き込まれた撮影画像データを読み出して、メモリ制御回路２２そして必要に応じて画像処理回路２０を用いて各種画像処理を、また、圧縮伸長回路３２を用いて設定したモードに応じた画像圧縮処理を行った後、ＣＦカード６のサンプル画像とは違う新規ディレクトリへ画像データの書き込みを行う記録処理を実行する（Ｓ２３２）。
【手続補正２０】
【補正対象書類名】明細書
【補正対象項目名】００９８
【補正方法】削除
【補正の内容】
【手続補正２１】
【補正対象書類名】明細書
【補正対象項目名】００９９
【補正方法】変更
【補正の内容】
【００９９】
【発明の効果】
以上説明したように、撮影の際に液晶パネルにサンプル画像を表示するので、画像データの記憶先を確認しながら撮影できる撮像装置が提供できる。また、撮影時にサンプル画像と同じ撮影条件で撮影できるとともに、画像データをサンプル画像と関連付けられた記憶先に記憶できる撮像装置が提供できるので、例えば、図鑑ＣＦを使って、調べて確認し、撮影はプロの撮影条件を自動で設定してくれるので初心者でも簡単に撮影できるという新しいデジカメの楽しみ方が実現できる。さらに、撮影時にサンプル画像と同じ撮影条件で撮影できるとともに、撮影の際に液晶パネルにサンプル画像を表示するので、画像データの記憶先を確認しながら撮影できる撮像装置が提供できる。